(57)【要約】【課題】釣用びくの新規構造の提案【解決手段】ここで提案される釣用びく１は、外枠１０と、中間枠１１と、底袋１２とを備えている。外枠１０は、上下に開口１０ａ，１０ｂを有する筒状部材である。中間枠１１は、外枠１０の下端の開口１０ｂに装着された筒状部材である。底袋１２は、中間枠１１の下端の開口１１ｂに装着された、有底の袋である。中間枠１１または底袋１２の少なくとも一部に編み目を有する。【選択図】図１
2018033360.tif 000002
【特許請求の範囲】
【請求項１】
外枠と、中間枠と、底袋を備えており、
前記外枠は、
上下に開口を有する筒状部材であり、
前記中間枠は、
前記外枠の下端の開口に装着された筒状部材であり、
前記底袋は、
前記中間枠の下端の開口に装着された、有底の袋であり、
前記中間枠または前記底袋の少なくとも一部に編み目を有する、釣用びく。
【請求項２】
前記中間枠の上端の外縁と下端の外縁は、それぞれ外枠の下端の開口の内縁よりも大きい、請求項１に記載された釣用びく。
【請求項３】
前記底袋の上端の外縁と底部の外縁とは、それぞれ前記中間枠の下端の開口の内縁よりも大きい、請求項１または２に記載された釣用びく。
【請求項４】
前記中間枠は、順に内側に装着された複数の筒状の枠体からなり、
前記複数の筒状の枠体のうち、最も外側に装着された枠体が、前記外枠の下端の開口に装着され、
前記複数の筒状の枠体のうち、最も内側に装着された枠体の下端の開口に、前記底袋が装着されている、
請求項１に記載された釣用びく。
【請求項５】
前記最も外側に装着された枠体の上端の外縁と下端の外縁は、それぞれ外枠の下端の開口の内縁よりも大きい、請求項４に記載された釣用びく。
【請求項６】
前記底袋の上端の外縁と底部の外縁とは、それぞれ前記最も内側に装着された枠体の下端の開口の内縁よりも大きい、請求項４または５に記載された釣用びく。
【請求項７】
前記外枠と中間枠と前記底袋とは、合成樹脂製であり、
前記中間枠の側周面の外形は、前記外枠の下端の開口と略同じか少し大きく、
前記底袋の側周面の外形は、前記中間枠の下端の開口と略同じか少し大きい、請求項１から６までの何れか一項に記載された釣用びく。
【請求項８】
前記編み目が、前記底袋の底部にのみ設けられている、請求項１から７までの何れか一項に記載された釣用びく。
【請求項９】
前記底袋の底部が白色、アイボリーまたはシルバーである、請求項１から８までの何れか一項に記載された釣用びく。
【請求項１０】
前記底袋が白色、アイボリーまたはシルバーである、請求項１から８までの何れか一項に記載された釣用びく。
【請求項１１】
前記中間枠が白色、アイボリーまたはシルバーである、請求項９または１０に記載された釣用びく。
【請求項１２】
前記底袋の底部の外側面に取っ手が取り付けられている、請求項１から１１までの何れか一項に記載された釣用びく。
【請求項１３】
前記外枠の上部に架け渡された棒を備えている、請求項１から１２までの何れか一項に記載された釣用びく。
【請求項１４】
前記棒は、前記外枠の側面の上部に形成された挿通孔を通して架け渡されている、請求項１３に記載された釣用びく。
【請求項１５】
前記外枠の側面の上部には、前記挿通孔が上下方向に複数形成されている、請求項１４に記載された釣用びく。
【発明の詳細な説明】
【技術分野】
【０００１】
釣用びくに関する。
【背景技術】
【０００２】
例えば、実開平５−５３４７６号公報には、網びくに関する考案が開示されている。
【先行技術文献】
【特許文献】
【０００３】
【特許文献１】実開平５−５３４７６号公報
【発明の概要】
【発明が解決しようとする課題】
【０００４】
実開平５−５３４７６号公報に開示されているような網びくは、形状を保つことができず、使い勝手が良くない場合がある。ここでは新規な構造の釣用びくを提案する。
【課題を解決するための手段】
【０００５】
ここで提案される釣用びくは、外枠と、中間枠と、底袋を備えている。外枠は、上下に開口を有する筒状部材である。中間枠は、外枠の下端の開口に装着された筒状部材である。底袋は、中間枠の下端の開口に装着された、有底の袋である。中間枠または底袋の少なくとも一部に編み目を有する。かかる釣用びくは、中間枠と底袋とを外枠から伸ばして用いることができる。
【図面の簡単な説明】
【０００６】
【図１】図１は、釣用びく１の正面図である。
【図２】図２は、釣用びく１を収容する際の状態を示す正面図である。
【図３】図３は、釣用びく１の使用状態を示す側面図である。
【図４】図４は、外枠１０の上部の拡大図である。
【図５】図５は、中間枠１１の上部の拡大図である。
【図６】図６は、底袋１２の上部を拡大した図である。
【図７】図７は、他の形態に係る釣用びく１Ａを示す正面図である。
【発明を実施するための形態】
【０００７】
以下、ここで提案される釣用びくを図面に基づいて説明する。
【０００８】
図１は、釣用びく１の正面図である。図２は、釣用びく１を収容する際の状態を示す正面図である。図３は、釣用びく１の使用状態を示す側面図である。ここで提案される釣用びく１は、図１、図２および図３に示すように、外枠１０と、中間枠１１と、底袋１２と、棒１３とを備えている。
【０００９】
外枠１０は、上下に開口１０ａ，１０ｂを有する筒状部材である。この実施形態では、外枠１０は、合成樹脂製の可撓性を有するシートを所定形状に裁断し、筒状に形を整えて、端部を溶着した部材であり、周方向において一箇所溶着された溶着部１０ｃを有している（図３参照）。外枠１０の上部は、シートを外側に折り返して溶着した溶着部１０ｄを有している。図４は、外枠１０の上部の拡大図である。この実施形態では、図４に示すように、上端の開口１０ａの周囲において金属の枠１０ａ１が装着されている。金属の枠１０ａ１は、例えば、シートを外側に折り返した部位の内部に装着されているとよい。外枠１０の下端の開口１０ｂの縁１０ｅは、図１に示すように、熱間プレスによって平坦に成形されている。外枠１０の側面の上部には、棒１３を取り付けるための複数の挿通孔１０ｆが設けられている。
【００１０】
中間枠１１は、上下に開口１１ａ，１１ｂを有しており、外枠１０に装着された筒状部材である。この実施形態では、中間枠１１は、合成樹脂製の可撓性を有するシートを所定形状に裁断し、筒状に形を整えて、端部を溶着した部材であり、周方向において一箇所溶着された溶着部１１ｃを有している（図３参照）。中間枠１１の上部は、シートを外側に折り返し溶着した溶着部１１ｄを有している。図５は、中間枠１１の上部の拡大図である。この実施形態では、図５に示すように、上端の開口１１ａに金属の枠１１ａ１が装着されている。金属の枠１１ａ１は、例えば、上端の開口１１ａにおいて中間枠１１を構成するシートを外側に折り返した部位の内部に装着されているとよい。中間枠１１の下端の開口１１ｂの縁１１ｅは、熱間プレスによって平坦に成形されている。
【００１１】
中間枠１１は、図１および図５に示すように、外枠１０の下端の開口１０ｂに装着されている。この実施形態では、中間枠１１は、外枠１０の上方から外枠１０に装着される。そして、中間枠１１の下端の縁１１ｅを変形させて外枠１０の下端の開口１０ｂに通す。これにより、中間枠１１が外枠１０に装着されている。中間枠１１の上部の外縁１１ｆと、中間枠１１の下端の縁１１ｅの外縁１１ｅ２とは、それぞれ中間枠１１が装着された外枠１０の開口１０ｂの縁１０ｅの内縁１０ｅ１よりも大きい。このため、中間枠１１は、外枠１０から容易に抜けない。なお、この実施形態では、中間枠１１の上部においてシートが外側に折り返された溶着部１１ｄが、外枠１０の開口１０ｂの縁１０ｅの内縁１０ｅ１よりも大きい。中間枠１１の上部では、溶着部１１ｄが外枠１０の開口１０ｂの縁１０ｅに設けられた内縁１０ｅ１に引っ掛かる。
【００１２】
また、中間枠１１の側周面１１ｇの外形は、外枠１０の下端の開口１１ｂと略同じか少し大きいとよい。このため、中間枠１１は、外枠１０の下端の開口１１ｂに沿って所要の摩擦を持って摺動する。この摩擦によって、中間枠１１は、図１および図３のように外枠１０から引き出された状態で維持される。また、中間枠１１は、図２に示すように、外枠１０に収容された状態でも維持される。
【００１３】
底袋１２は、上部に開口１２ａを有する有底の袋である。この実施形態では、底袋１２は、合成樹脂製の可撓性を有するシートを所定形状に裁断し、筒状に形を整えて、端部を溶着した部材であり、周方向において一箇所溶着された溶着部１２ｃを有している（図３参照）。底袋１２の上部は、シートを外側に折り返し溶着した溶着部１２ｄを有している。図６は、底袋１２の上部を拡大した図である。この実施形態では、図６に示すように、上端の開口１２ａに金属の枠１２ａ１が装着されている。金属の枠１２ａ１は、例えば、上端の開口１２ａにおいて底袋１２を構成するシートを外側に折り返した部位の内部に装着されているとよい。底袋１２の底部１２ｂにはメッシュ状のシートが熱間溶着されている。このように、この実施形態では、底袋１２の底部１２ｂにのみ編み目（メッシュ）が設けられている。
【００１４】
底袋１２は、図１および図６に示すように、中間枠１１の下端の開口１１ｂに装着されている。この実施形態では、底袋１２は、中間枠１１の上方から中間枠１１に装着される。そして、底袋１２の底部１２ｂを変形させて中間枠１１の下端の開口１１ｂに通す。これにより、底袋１２が中間枠１１に装着されている。底袋１２の上部の外縁１２ｆと、底袋１２の底部１２ｂの外縁１２ｂ１とは、それぞれ中間枠１１の下端の開口１０ｂの内縁１１ｅ１よりも大きい。このため、底袋１２は、中間枠１１から容易に抜けない。なお、この実施形態では、底袋１２の上部においてシートが外側に折り返された溶着部１２ｄが、外枠１０の下端の開口１０ｂの内縁１０ｅ１よりも大きい。底袋１２の上部では、溶着部１２ｄが中間枠１１の開口１１ｂの縁１１ｅに設けられた内縁１１ｅ１に引っ掛かる。
【００１５】
また、底袋１２の側周面１２ｇの外形は、中間枠１１の下端の開口１１ｂと略同じか少し大きいとよい。このため、底袋１２は、中間枠１１の下端の開口１１ｂに沿って所要の摩擦を持って摺動する。この摩擦によって、底袋１２は、図１および図３に示すように、中間枠１１から引き出された状態で維持される。また、底袋１２は、図２に示すように、中間枠１１に収容された状態でも維持される。この実施形態では、底袋１２の底部１２ｂの外側面には、取っ手１２ｈが取り付けられている。取っ手１２ｈは、合成樹脂製のシートを帯状に裁断し、両端を底袋１２の底部１２ｂに溶着したものである。かかる取っ手１２ｈが設けられていることによって、底袋１２および中間枠１１が外枠１０から引き出され易くなる。
【００１６】
この釣用びく１は、図１および図３に示すように、外枠１０と、中間枠１１と、底袋１２とを有している。外枠１０は、上下に開口１０ａ，１０ｂを有する筒状部材である。中間枠１１は、外枠１０の下端の開口１０ｂに装着された筒状部材である。底袋１２は、中間枠１１の下端の開口１１ｂに装着された、有底の袋である。そして、中間枠１１または底袋１２の少なくとも一部（この実施形態では、底袋１２の底部１２ｂ）に編み目を有している。
【００１７】
この釣用びく１は、中間枠１１および底袋１２が外枠１０から引き出され、少なくとも底袋１２が水中に浸けられることによって、水中に浸けられた内部が生け簀として使用される。底袋１２を外枠１０から引き出す際、底袋１２の側周面１２ｇが外枠１０の底部の開口１１ａの内縁に接触しつつ引き出される。このため、中間枠１１および底袋１２は、外枠１０に対して適当な位置まで引き出され、釣用びく１は適当な長さに調節される。また、釣用びく１は、図２に示すように、外枠１０に中間枠１１および底袋１２を収容することによって、コンパクトになる。また、この際、底袋１２の内部は、釣り具などを収めることができるので、携帯するのに便利である。このように、釣用びく１は、種々使い勝手がよい。
【００１８】
また、中間枠１１および底袋１２を外枠１０から引き出し、底袋１２を水中に浸け、底袋１２の内部を生け簀として使用する際には、例えば、図３に示すように、外枠１０の上部に棒１３を架け渡すとよい。そして、中間枠１１と底袋１２とが引っ張り出され、棒１３が取り付けられた状態で、水面Ｗが見える水槽や、水面が見えるように船底に設けられた枠２０などに棒１３を渡し、中間枠１１および底袋１２を水の中に浸けるとよい。中間枠１１および底袋１２を水の中に浸けると、底袋１２の底部１２ｂから水が浸入し、水に浸かった高さまで内部が水で満たされる。この状態で、生け簀として使用されうる。かかる生け簀は、船釣りなどで用いられ、ライブウェルとも称される。
【００１９】
ここで、棒１３は、外枠１０の側面の上部に形成された挿通孔１０ｆを通して架け渡されているとよい。また、外枠１０の側面の上部には、複数の挿通孔１０ｆが上下方向に設けられている。これにより、外枠１０に棒１３を取り付ける位置を自由に変更することができる。また、棒１３は、外枠１０の外側にそれぞれ１０ｃｍ以上程度延びているとよい。この実施形態では、棒１３にはジョイント部分１３ａを備えており、伸縮可能な伸縮棒が採用されている。このように棒１３に、伸縮棒が採用されているとよい。船底の枠２０の幅に応じて棒１３が伸ばされるとよい。また、図２に示すように、釣用びく１を収容する際には、棒１３を抜いて中間枠１１と底袋１２を外枠１０に収容するとよい。この実施形態では、棒１３の外径は、外枠１０の挿通孔１０ｆの径よりも少し小さく、棒１３の一端にはキャップ１３ｂが付いている。中間枠１１と底袋１２を外枠１０に収容する際には、キャップ１３ｂを外して棒１３を外枠１０の挿通孔１０ｆから抜くとよい。
【００２０】
かかる釣用びく１は、生け簀として用いられ、生きた魚が入れられる。そして、船底の枠２０などに棒１３を渡し、中間枠１１および底袋１２が水の中に浸けられる。この場合、例えば、底袋１２の底部１２ｂを白色にするとよい。これにより、使用者が外枠１０の上端の開口１０ａから覗いた際に、釣用びく１の中で水中を泳ぐ魚を確認しやすい。このため、例えば、底袋１２自体を白色にしてもよい。さらに、中間枠１１についても白色にしてもよい。ここでは、釣用びく１の中で水中を泳ぐ魚が、外枠１０の上端の開口１０ａから確認しやすければよく、底袋１２または中間枠１１に施される白色は、完全な白に限定されず、白に準じた色も白色に含まれうる。また、釣用びく１の中で水中を泳ぐ魚が、外枠１０の上端の開口１０ａから確認しやすければよく、淡く黄色がかったアイボリーのような色や、シルバーなどにも、これらに準じた色が含まれうる。
【００２１】
この実施形態では、外枠１０の上部には、棒１３が架け渡される例を例示したが、釣用びく１を取り付ける構成部材は、棒１３に限定されない。例えば、外枠１０の上部には、図２に示すように、紐が取り付けられていてもよい。そして、紐の先端にフックが取り付けられていてもよい。この場合、かかるフックを、例えば、クーラーボックスなどに適当に引っ掛けて使用するとよい。
【００２２】
また、外枠１０と、中間枠１１と、底袋１２は、上述のように合成樹脂製であるとよい。適当な合成樹脂としては、所要の耐候性、耐熱性、剛性などを備えているとよく、例えば、エチレン・酢酸ビニル共重合体を用いるとよい。その他、ポリプロピレンやポリエチレンなどの他の合成樹脂が用いられていてもよい。合成樹脂製とすることによって、釣用びく１の軽量化を図ることができる。
【００２３】
この実施形態では、外枠１０の上部と、中間枠１１の上部と、底袋１２の上部に、それぞれ金属の枠１０ａ１、１１ａ１、１２ａ１が装着されている。このため、生け簀の収容口となる外枠１０の上端の開口１０ａが変形しないので使いやすい。また、中間枠１１の開口１１ａの剛性が高いので、中間枠１１は容易には外枠１０の底部の開口１０ｂから抜けない。また、底袋１２の開口１２ａの剛性が高いので、底袋１２は容易には中間枠１１の底部の開口１１ｂから抜けない。また、この実施形態では、底部１２ｂのみが編み目（メッシュ）である。底部１２ｂのみが編み目（メッシュ）である場合には、例えば、この釣用びく１内で釣れた魚から釣り針を外す際に、編み目に釣り針が引っ掛かるようなトラブルが生じにくい。なお、この実施形態では、底部１２のみが編み目になっているが、外枠１０、中間枠１１、底袋１２のその他の部位は、釣用びく１としての基本的な機能を損なわない程度において、それぞれ適宜に、全部または部分的に編み目（メッシュ）でもよい。
【００２４】
以上、ここで提案される釣用びくの一実施形態を説明したが、本発明は、上記の実施形態に限定されない。
【００２５】
例えば、上述した実施形態では、釣用びく１は、概ね四角筒型であるが、円筒形状でもよく、四角筒型に限定されない。また、外枠１０の上部に棒１３を架け渡す形態および図示は省略したが、外枠１０の上部に取り付けた紐の先端にフックが取り付けられた形態を例示したが、釣用びく１を水中に浸す構造は、かかる構造に限定されない。また、この実施形態では、中間枠１１は、一つの筒状の枠体で構成されているが、かかる形態に限定されない。
【００２６】
図７は、他の形態に係る釣用びくを示す正面図である。この実施形態では、中間枠１１は、図７に示すように、順に内側に装着された複数の筒状の枠体１１１からなる。各枠体１１１は、順に小さくなり、内側に装着されているよう点の他、図１に示す中間枠１１と同様の構造であるとよい。枠体１１１の各部位には、中間枠１１に準じて同じ符号を付している。
【００２７】
この場合、中間枠１１を構成する複数の筒状の枠体１１１のうち、最も外側に装着された枠体１１１が、外枠１０の下端の開口１０ｂに装着されている。中間枠１１のうち、最も外側に装着された枠体１１１の上端の外縁１１ｆ（図１参照）と下縁１１ｅの外縁１１ｅ１は、それぞれ外枠１０の下端の開口１０ｂの縁１０ｅの内縁１１ｅ１よりも大きいとよい。最も外側に装着された枠体１１１の側周面１１ｇの外形が、外枠１０の下端の開口１０ｂと同じか少し大きいとよい。
【００２８】
中間枠１１を構成する複数の筒状の枠体１１１のうち、最も内側に装着された枠体１１１の下端の開口１１ｂに、底袋１２が装着されているとよい。底袋１２の側周面１２ｇの外形は、中間枠１１の下端の開口１１ｂ（この実施形態では、最も内側に装着された枠体１１１の下端の開口１１ｂ）と略同じか少し大きいとよい。底袋１２の上端の外縁１２ｆと底部１２ｂの外縁１２ｂ１とは、それぞれ最も内側に装着された枠体１１１の下端の開口１１ｂの内縁よりも大きいとよい。中間枠１１が、図７に示すように、順に内側に装着された複数の筒状の枠体１１１からなる釣用びく１Ａでは、底袋１２がより深く延びるようになり、より深さのある生け簀を実現できる。図７では、中間枠１１が２つの枠体１１１を有しており、外枠１０および底袋１２を含めて４つの部材で構成されている。さらに、中間枠１１を構成する枠体１１１を増やし、５つの部材、さらには６つの部材で構成してもよい。これにより、収納したときのコンパクトさを維持しつつ、より深さのある生け簀を実現できる。
【符号の説明】
【００２９】
１，１Ａ  釣用びく
１０  外枠
１０ａ  外枠１０の上端の開口
１０ａ１  金属の枠
１０ｂ  外枠１０の下端の開口
１０ｃ，１０ｄ  溶着部
１０ｅ  開口１０ｂの縁
１０ｅ１  縁１０ｅの内縁
１０ｆ  挿通孔
１１  中間枠
１１ａ  中間枠１１の上端の開口
１１ｂ  中間枠１１の下端の開口
１１ａ１  金属の枠
１１ｃ，１１ｄ  溶着部
１１ｅ  下端の開口１１ｂの縁
１１ｅ１  縁１１ｅの内縁
１１ｅ２  縁１１ｅの外縁
１１ｆ  中間枠１１の上部の外縁
１１ｇ  中間枠１１の側周面
１２  底袋
１２ａ  開口
１２ａ１  金属の枠
１２ｂ  底部
１２ｃ，１２ｄ  溶着部
１２ｆ  外縁
１２ｇ  底袋１２の側周面
１２ｈ  取っ手
１３  棒
１３ａ  ジョイント部分
１３ｂ  キャップ
２０  枠（船底の枠）
１１１  枠体
Ｗ  水面
【図１】
2018033360.tif 000003
【図２】
2018033360.tif 000004
【図３】
2018033360.tif 000005
【図４】
2018033360.tif 000006
【図５】
2018033360.tif 000007
【図６】
2018033360.tif 000008
【図７】
2018033360.tif 000009